(57)【要約】【課題】自動取引装置に関して、作業者が表示画面の内容を容易に確認できる単純な扉の構造を備えた自動取引装置を提供する。また、作業者の保守あるいは点検の操作性を向上させた自動取引装置を提供することを第２の目的とする。【解決手段】自動取引装置１であって、複数のユニット４２，４４，４６，４８を内部に収納した筐体７と、筐体７の一面に形成した開口部と、開口部の一辺に軸支された回動自在の扉６と、扉６に設けた窓部８と、窓部８を通して作業者が扉の正面側から表示画面１２を視認できる態様で、窓部８に取り付けられた表示部１０と、を備え、表示部１０は、表示画面１２を回転させて扉６の背面側に向けるための回転軸６２を有する。【選択図】図２
2010122876.tif 000002
【特許請求の範囲】
【請求項１】
自動取引装置であって、
複数のユニットを内部に収納した筐体と、
前記筐体の一面に形成した開口部と、
前記開口部の一辺に軸支された回動自在の扉と、
前記扉に設けた窓部と、
前記窓部を通して作業者が前記扉の正面側から表示画面を視認できる態様で、前記窓部に取り付けられた表示部と、を備え、
前記表示部は、前記表示画面を回転させて前記扉の背面側に向けるための回転軸を有する、自動取引装置。
【請求項２】
請求項１に記載の自動取引装置であって、さらに、
前記表示部の回転に応じて、前記表示画面の表示内容を適切な向きに切り換える表示制御部と、
を備える自動取引装置。
【請求項３】
自動取引装置であって、
複数のユニットを内部に収納した筐体と、
前記筐体の一面に形成した開口部と、
前記開口部の一辺に軸支された回動自在の扉と、
前記扉に設けた窓部と、
前記窓部を通して作業者が前記扉の正面側から表示画面を視認できる態様で、前記筐体の内部に取り付けられた表示部と、
前記表示部に取り付けられた、前記表示部を移動させる移動機構と、
を備える自動取引装置。
【請求項４】
請求項３に記載の自動取引装置であって、
前記移動機構は、前記筐体と前記表示部を接続するアーム部と、前記アーム部に連結された自在継手とを含む、自動取引装置。
【請求項５】
請求項３又は請求項４に記載の自動取引装置であって、
前記移動機構は、前記開口部側から見て、前記複数のユニットのうちの特定のユニットの引き出し位置と前記表示部の定位置とが重なる位置にある場合において、前記特定のユニットを引き出す場合に前記表示部を前記引き出し位置と重ならない位置に移動させる機構である、自動取引装置。
【請求項６】
請求項３又は請求項４に記載の自動取引装置であって、
前記移動機構は、前記複数のユニットのうちで前記表示部よりも下に位置する特定のユニットを前記筐体より引き出す場合に、前記表示画面が下方向を向くように前記表示部を傾斜させる機構である、自動取引装置。
【発明の詳細な説明】
【技術分野】
【０００１】
本発明は、自動預金支払機（以下、「ＡＴＭ」という。）等の自動取引装置に関し、特に係員（「作業者」ともいう。）が保守作業や点検作業を行う際に使用する表示部を備える自動取引装置に関する。
【背景技術】
【０００２】
従来、ＡＴＭや自動券売機等の自動取引装置は、紙幣取扱いユニット（「紙幣取扱い機構」ともいう。）等の内部ユニット（「内部機構」ともいう。）を収納する筐体と、この筐体に取り付けた扉と、障害発生箇所や復旧操作等の情報を表示する表示部を備える。係員はこの表示部に表示された障害発生内容等の各種情報を見ながら、自動取引装置の内部ユニットの保守あるいは点検を行う。また、従来の自動取引装置は、表示部が扉に取り付けられたタイプと、筐体内部に取り付けられたタイプがあり、いずれのタイプも扉を閉めた状態で、扉に設けられた窓部を通して扉の正面側から表示部に表示された画面を視認できるようになっている。
【０００３】
特許文献１には、表示部を扉に取り付けた自動取引装置において、係員が内部ユニットの操作を行いながら、表示部の表示内容を確認できる技術が開示されている。具体的には、表示部が取り付けられた扉を、スライドピンを中心に回転させることで、扉の表面全体を筐体の内側に向ける技術が開示されている。
【０００４】
【特許文献１】特開２００８−０２１０１９号公報
【特許文献２】特開２０００−２６８２２９号公報
【０００５】
しかしながら、スライドピンを中心にして扉を回転させる場合には、扉にスライドピンやステーといった器具を取り付ける必要があり、扉の構造が複雑になるという問題があった。また、表示部を筐体内部に取り付けた自動取引装置では、係員が、内部ユニットの保守あるいは点検を行う場合に、表示部が障害となり内部ユニットを引き出せないといった問題や、表示部と引き出された内部ユニットの位置関係によっては、引き出された内部ユニットの保守あるいは点検を行いながら表示画面の内容を確認することが困難な場合があった。
【発明の開示】
【発明が解決しようとする課題】
【０００６】
本発明は、上記した課題を踏まえ、表示部を扉に取り付けた自動取引装置において、係員が内部ユニットの保守あるいは点検を行いながら、表示画面の内容を容易に確認できる単純な扉の構造を備えた自動取引装置を提供することを第１の目的とする。また、表示部を筐体内部に取り付けた自動取引装置において、係員の保守あるいは点検の操作性を向上させた自動取引装置を提供することを第２の目的とする。
【課題を解決するための手段】
【０００７】
本発明は、上記の課題の少なくとも一部を解決するためになされたものであり、以下の形態または適用例として実現することができる。
【０００８】
[適用例１]  自動取引装置であって、複数のユニットを内部に収納した筐体と、前記筐体の一面に形成した開口部と、前記開口部の一辺に軸支された回動自在の扉と、前記扉に設けた窓部と、前記窓部を通して作業者が前記扉の正面側から表示画面を視認できる態様で、前記窓部に取り付けられた表示部と、を備え、前記表示部は、前記表示画面を回転させて前記扉の背面側に向けるための回転軸を有する、自動取引装置。
適用例１の自動取引装置によれば、作業者が扉を開き内部ユニットを保守あるいは点検をする場合に、表示部に設けた回転軸により表示画面を扉の背面側に向けることがきるので、表示画面の内容を容易に確認することができる。
【０００９】
[適用例２]  適用例１に記載の自動取引装置であって、さらに、前記表示部の回転に応じて、前記表示画面の表示内容を適切な向きに切り換える表示制御部と、を備える自動取引装置。
適用例２の自動取引装置によれば、表示画面を扉の背面側に向けることで、表示画面の表示内容が上下逆向きになる場合でも、表示内容の上下を適切な向きに表示することができ、作業者の操作性を向上させることができる。
【００１０】
[適用例３]  自動取引装置であって、複数のユニットを内部に収納した筐体と、前記筐体の一面に形成した開口部と、前記開口部の一辺に軸支された回動自在の扉と、前記扉に設けた窓部と、前記窓部を通して作業者が前記扉の正面側から表示画面を視認できる態様で、前記筐体の内部に取り付けられた表示部と、前記表示部に取り付けられた、前記表示部を移動させる移動機構と、を備える自動取引装置。
適用例３の自動取引装置によれば、作業者が扉を開き内部ユニットを引き出して保守あるいは点検をする場合に、表示部を任意の位置に移動させることができる。このため、作業者の保守あるいは点検の操作性を向上させることができる。
【００１１】
[適用例４]  適用例３に記載の自動取引装置であって、前記移動機構は、前記筐体と前記表示部を接続するアーム部と、前記アーム部に連結された自在継手とを含む、自動取引装置。
適用例４に記載の自動取引装置によれば、アーム部と自在継手により容易に表示部を任意の位置に移動させることができる。
【００１２】
[適用例５]  適用例３又は適用例４に記載の自動取引装置であって、前記移動機構は、前記開口部側から見て、前記複数のユニットのうちの特定のユニットの引き出し位置と前記表示部の定位置とが重なる位置にある場合において、前記特定のユニットを引き出す場合に前記表示部を前記引き出し位置と重ならない位置に移動させる機構である、自動取引装置。
適用例５に記載の自動取引装置によれば、作業者が扉を開き内部ユニットを引き出して保守あるいは点検をする場合に、表示部が内部ユニットの引き出しの障害となることがないため、作業者の保守あるいは点検の操作性を向上させることができる。
【００１３】
[適用例６]  適用例３又は適用例４に記載の自動取引装置であって、前記移動機構は、前記表示部よりも下に位置するユニットを定位置より引き出す場合に、前記移動機構は、前記複数のユニットのうちで前記表示部よりも下に位置する特定のユニットを前記筐体より引き出す場合に、前記表示画面が下方向を向くように前記表示部を傾斜させる機構である、自動取引装置。
適用例６に記載の自動取引装置によれば、作業者が表示部よりも下に位置する内部ユニットを引き出して保守あるいは点検をする場合においても、作業者は容易に表示画面を見ながら内部ユニットの保守あるいは点検を行うことができる。
【００１４】
なお、本発明における表示画面は、各種情報を表示する出力機能だけでなく、作業者が入力を行うことができる入力機能を備えても良い。
【発明を実施するための最良の形態】
【００１５】
次に、本発明の実施の形態を実施例に基づいて以下の順序で説明する。
Ａ．各種の実施例
Ｂ．変形例：
【００１６】
Ａ−１．第１実施例：
図１は、第１実施例としてのＡＴＭ１を後方から見た外観図である。ＡＴＭ１は、後述する複数のユニットを内部に収納した筐体７と、筐体７の開口部に設けられた扉６と、扉６に設けられた窓部８と、窓部８に取り付けられた表示部１０と、表示部１０を制御する表示制御部２０を備える。また、表示部１０は、ＡＴＭ１の障害発生時に、障害内容や復旧内容等の情報を表示する表示画面１２を備える。
【００１７】
図２は、第１実施例としてのＡＴＭ１の内部構造を示す図である。図２（ａ）は、表示部１０を回転させる前の状態を示した図であり、図２（ｂ）は表示部１０を回転させ、表示画面１２を扉６の背面側へ向けた状態を示した図である。筐体７の内部は主に、カードを扱うカードユニット４２と、通帳を扱う通帳ユニット４４と、紙幣を扱う紙幣ユニット４６と、硬貨を扱う硬貨ユニット４８とを備える。扉６の背面には、表示部１０が回転しないように支える係止具６０と、表示画面１２の表示内容の上下を適切な向きに切り替るよう表示制御部２０に指令を送るスイッチ６６とを備える。また、表示部１０の下辺には蝶番６２が取り付けられている。係員が紙幣ユニット４６等の内部ユニットの保守あるいは点検を行う場合には、係止具６０を解除し、蝶番６２を軸に表示部１０を回転させることで、表示画面１２を扉６の背面側へ向けることができる（図２（ｂ））。これにより、係員は表示画面１２の内容を確認しながら紙幣ユニット４６等の内部ユニットの保守あるいは点検を行うことができる。また、この場合、表示画面１２の表示内容が上下反対になっていることから、回転した表示部１０自身がスイッチ６６を押すことで、表示制御部２０が作動し表示画面１２の表示内容を適切な向きに表示することができる。なお、表示部１０が急に回転することを避けるために、表示部１０にガススプリング（図示せず）を取り付けても良い。
【００１８】
このように、第１実施例では、係員は蝶番６２を回転軸として表示部１０を回転させることで表示画面１２を扉６の背面側へ向けることができるので、表示画面１２の内容を確認しながら紙幣ユニット４６等の内部ユニットの保守あるいは点検を行うことができる。
【００１９】
Ａ−２．第２実施例：
図３は、第２実施例としてのＡＴＭ２の内部構造を示す図である。図３（ａ）は、表示部１０を回転させる前の状態を示した図であり、図３（ｂ）は表示部１０を回転させ、表示画面１２を扉６の背面側へ向けた状態を示した図である。図２に示した第１実施例との違いは、回転軸の取り付け位置であり、筐体７、カードユニット４２などは第１実施例と同様の構成であることから、第１実施例と同様の構成部材については、同一符号で示すと共に説明を省略する。
【００２０】
第２実施例の回転軸６４は、表示部１０の上下方向で表示部１０の中間の位置であって、かつ表示部１０の背面に取り付けられている。また、扉６の背面には、表示画面１２の表示内容の上下を適切な向きに切り替るよう表示制御部２０に指令を送るスイッチ６８が取り付けられている。係員が、紙幣ユニット４６等の内部ユニットの保守あるいは点検を行う場合には、回転軸６４を軸に表示部１０を回転させることで、表示画面１２を扉６の背面側へ向けることができる（図３（ｂ））。また、回転する表示部１０自身が窓部８の側面に設けられたスイッチ６８を押すことにより、表示制御部２０が作動し表示画面１２の表示内容を適切な向きに表示することができる。
【００２１】
第２実施例のＡＴＭ２は、第１実施例のＡＴＭ１のように表示部１０を背面側へ回転させた場合に、表示部１０が扉６の背面にぶつかる事が無いので、表示部１０や表示画面１２の故障を低減させることができる。なお、図３（ｃ）に示すように、回転軸６４を表示部１０の左右方向で表示部１０の中間の位置に取り付けても良い。この場合、表示画面１２を扉６の背面側へ向けた場合でも表示画面１２の表示内容は上下反対にならないことから、スイッチ６８や表示制御部２０を設ける必要がなく、さらに簡単な構造のＡＴＭ２を提供することができる。
【００２２】
Ａ−３．第３実施例：
図４は、第３実施例としてのＡＴＭ３の内部構造を示す図である。図４（ａ）は、扉６を開けた状態を示した図である。また、図４（ｂ）は通帳ユニット４４、移動機構７０及び表示部１０をＡＴＭ３の側面から見た図であり、図４（ｃ）は、通帳ユニット４４を筐体７の内部から引き出した場合に、表示部１０が上方に移動した図である。第３実施例は、第１実施例、第２実施例とは異なり、扉６を閉めた状態で窓部８を通して扉６の正面側から表示画面１２を視認できるように、表示部１０が筐体７の内部に取り付けられている。また、第３実施例は、表示部１０の位置を移動させる移動機構７０を２組備える。なお、他の点においては、第１実施例又は第２実施例の構成と同様であることから、第１実施例又は第２実施例と同様の構成部材については、同一符号で示すと共に説明を省略する。
【００２３】
移動機構７０は、第１の自在継手７２と、一端が第１の自在継手７２に連結された第１のアーム部７４と、第１のアーム部７４の他端に連結された第２の自在継手７３と、一端が第２の自在継手７３に連結された第２のアーム部７５と、第２のアーム部７５の他端に連結された第３の自在継手７６と、を備える。また、筐体７の上面には第１の固定部材７１が取り付けられており、第１の固定部材７１と第１の自在継手７２とが連結している。さらに、表示部１０の背面には第２の固定部材７８が取り付けられており、第２の固定部材７８と第３の自在継手７６とが連結している。
【００２４】
通帳ユニット４４を引き出して保守あるいは点検を行う場合には、係員が表示部１０を上方向に持ち上げて移動させることで、表示部１０が障害となることなく通帳ユニット４４を引き出すことができる。なお、第３実施例は、通帳ユニット４４の保守あるいは点検を行う場合について説明を行ったが、これに特に限られるものではなく、例えば、表示部１０が障害となってカードユニット４２が引き出せない場合も、同様に表示部１０を上方に移動させることができる。
【００２５】
図５は、硬貨ユニット４８を引き出した場合に表示部１０が傾斜した態様を示す図である。図５（ｂ）のように表示部１０よりも下に位置する硬貨ユニット４８を引き出して保守あるいは点検を行う場合には、図５（ｃ）のように表示画面１２が下方向を向くように係員が表示部１０を傾斜させる。これにより、係員が表示画面１２の内容を容易に確認しながら硬貨ユニット４８のような表示部１０よりも下に位置する内部ユニットの保守あるは点検を行うことができる。
【００２６】
Ｂ．変形例：
なお、この発明は上記の実施例に限られるものではなく、その要旨を逸脱しない範囲において種々の態様において実施することが可能であり、例えば次のような変形も可能である。
【００２７】
Ｂ１．第１変形例ないし第３変形例：
図６は、第１変形例ないし第３変形例のＡＴＭ４を示した図である。第１変形例ないし第３変形例は、蝶番の表示部１０への取り付け位置が異なる点を除き、前述した第１実施例及び第２実施例と同様の構成である。
【００２８】
図６（ａ）は、第１変形例を示した図である。第１変形例のＡＴＭ４は、表示部１０の右辺（扉６の回動軸から遠い位置にある辺）に蝶番を設け、それを軸に表示部１０を扉６の背面側に回転させることで、表示画面１２を扉６の背面側へ向けることができる。図６（ｂ）は、第２変形例を示した図である。第２変形例のＡＴＭ４は、表示部１０の左辺（扉６の回動軸から近い位置にある辺）に蝶番を設け、それを軸に表示部１０を扉６の背面側に回転させることで、表示画面１２を扉６の背面側へ向けることができる。なお、第１変形例及び第２変形例の場合、表示画面１２を扉６の背面側へ向けたとしても表示画面１２の表示内容は上下反対にならないことから、第１実施例のようにスイッチ６６や表示制御部２０を設ける必要がない。図６（ｃ）は、第３変形例を示した図である。第３変形例のＡＴＭ４は、表示部１０の上辺に蝶番を設け、それを軸に表示部１０を扉６の背面側に回転させることで、表示画面１２を扉の背面側へ向けることができる。この場合、第１実施例と同様に、表示制御部２０に指令を送るスイッチを扉６の背面に備える。また、表示部１０を扉６の背面側へ回転させた際に、表示部１０が自重により元の位置（表示画面１２を扉６の正面側に向けた位置）に戻らないように、表示部１０を固定するフック等の固定機構（図示せず）を扉６に設ける必要がある。
【００２９】
Ｂ２．第４変形例：
図７は、第４変形例のＡＴＭ５を示した図である。第４変形例は、第１の固定部材７１が筐体７の側面に取り付けられている点を除き、前述した第３実施例と同様である。係員が通帳ユニット４４を引き出して保守あるいは点検を行う場合には、表示部１０を図７（ｃ）のように扉６側へ移動させることで、表示部１０が障害となることなく通帳ユニット４４の引き出すことができる。
【００３０】
Ｂ３．第５変形例：
上記実施例では、表示部１０の移動は係員の手動により行ったが、これに代えて通帳ユニット４４等の内部ユニットの位置を監視する位置センサをＡＴＭに設け、引き出そうとするユニットが定位置より移動したことを位置センサが検知することにより、移動機構７０が作動し表示部１０を自動で所定の位置に移動させることも可能である。また、引き出そうとする内部ユニット自身が、表示部１０を押し出すことで表示部１０を移動させることも可能である。なお、上記実施例では２組の移動機構７０により表示部１０を移動させたが、移動機構７０は１組でも３組以上でも良い。
【００３１】
Ｂ４．第６変形例：
上記実施例では、回転した表示部１０自身がスイッチ６６，６８を押すことで表示制御部２０が作動するようにしたが、係員自身がスイッチ６６，６８を押しても良い。また、スイッチ６６，６８に代えて、表示画面１２の上下を判定する上下判定センサを設けても良い。これにより、上下判定センサが、表示画面１２が上下反対になったことを検知すると、表示制御部２０が作動し表示画面１２の表示内容を適切な向きに表示することができる。
【００３２】
Ｂ５．第７変形例：
上記実施例では、ＡＴＭを例に表示部１０の回転又は移動方法について説明を行ったが、ＡＴＭに限らず自動両替機や自動販売機等の自動取引装置に適用することができる。
【００３３】
Ｂ６．第８変形例：
上記実施例では、移動機構は２本のアーム部７４，７５と３個の自在継手７２，７３，７６により構成していたが、アーム部と自在継手の数はこれに限定されるものではない。また、上記実施例の移動機構に代えて、伸縮及び回転が自在の蛇腹部を有するアーム部を移動機構として用いても良い。
【図面の簡単な説明】
【００３４】
【図１】第１実施例としてのＡＴＭ１を後方から見た外観図である。
【図２】第１実施例としてのＡＴＭ１の内部構造を示す図である。
【図３】第２実施例としてのＡＴＭ２の内部構造を示す図である。
【図４】第３実施例としてのＡＴＭ３の内部構造を示す図である。
【図５】硬貨ユニット４８を引き出したときに表示部１０が傾斜した態様を示す図である。
【図６】第１変形例ないし第３変形例のＡＴＭ４を示す図である。
【図７】第４変形例のＡＴＭ５を示す図である。
【符号の説明】
【００３５】
１，２，３，４，５…ＡＴＭ
６…扉
７…筐体
８…窓部
１０…表示部
１２…表示画面
２０…表示制御部
４２…カードユニット
４４…通帳ユニット
４６…紙幣ユニット
４８…硬貨ユニット
６０…係止具
６２…蝶番
６４…回転軸
６６，６８…スイッチ
７０…移動機構
７１…第１の固定部材
７２…第１の自在継手
７３…第２の自在継手
７４…第１のアーム部
７５…第２のアーム部
７６…第３の自在継手
７８…第２の固定部材
【図１】
2010122876.tif 000003
【図２】
2010122876.tif 000004
【図３】
2010122876.tif 000005
【図４】
2010122876.tif 000006
【図５】
2010122876.tif 000007
【図６】
2010122876.tif 000008
【図７】
2010122876.tif 000009